(57)【要約】【課題】  高価なシャープネス処理用の専用チップを必要とせずにワイド画面に対応したシャープネス処理機能を有する映像表示装置を提供する。【解決手段】  標準アスペクト比の映像信号をワイドアスペクト比の映像信号へ伸張する場合にシャープネス処理を行う映像表示装置において、前記伸張処理の前段に前記シャープネス処理を行う手段と、前記シャープネス処理帯域の中心周波数を前記伸張処理の伸張率に比例して変更する手段１１５とを備えたことを特徴とする映像表示装置。【選択図】      図２
2006284950.tif 000002
【特許請求の範囲】
【請求項１】
標準アスペクト比の映像信号をワイドアスペクト比の映像信号へ伸張する場合にシャープネス処理を行う映像表示装置において、
前記伸張処理の前段に前記シャープネス処理を行う手段を
備えたことを特徴とする映像表示装置。
【請求項２】
標準アスペクト比の映像信号をワイドアスペクト比の映像信号へ伸張する場合にシャープネス処理を行う映像表示装置において、
前記伸張処理の前段に前記シャープネス処理を行う手段と、
前記シャープネス処理帯域の中心周波数を前記伸張処理の伸張率に比例して変更する手段とを
備えたことを特徴とする映像表示装置。
【請求項３】
映像表示位置によって前記伸張処理の伸張率が異なり、この伸張率に比例して前記シャープネス処理帯域を変更することを特徴とする請求項２に記載の映像表示装置。
【発明の詳細な説明】
【技術分野】
【０００１】
本発明は、映像表示装置に係り、特に、映像が伸張処理される映像表示装置に関する。
【背景技術】
【０００２】
テレビやパーソナルコンピュータといった映像表示装置が実用化されている。近年このような映像表示装置はワイド画面をもち、アスペクト比４：３の映像を圧縮・伸張処理して１６：９などのワイド画面相当に伸張するといった機能を有する。また特定の周波数帯域を持上げるシャープネス処理にて映像の輪郭等を強調する機能を有する。
【０００３】
この２つの機能に関しテレビにおいては一般に、圧縮・伸張処理、続いてシャープネス処理という処理手順がそれぞれ専用回路によって行われてきた。テレビの例としては、例えば特許第２８６１２１３号公報（特許文献１）によるものは、アスペクト比４：３の映像データをそのままの比で圧縮する即ち標準アスペクト比で映像表示する場合は、時間軸圧縮回路による圧縮・伸張処理、続いて圧縮率に対応した特定の周波数帯域を持上げる画質調整回路によるシャープネス処理が行われた。
【０００４】
他方パーソナルコンピュータでも同様に、汎用のグラフィックスチップによる圧縮・伸張処理、続いて専用チップによるシャープネス処理という処理手順が行われる場合があった。ここで言う専用チップとは、シャープネス処理が可能な程度に複雑な回路で、他の処理機能を含むことはあり、また構成として複数チップや基板という形態もあるものである。
【０００５】
しかしながらこのパーソナルコンピュータでの処理手順においては、シャープネス処理を行う専用チップが高価であるという問題があった。また、この専用チップをこの処理手順のままソフトウェア処理に置き換えて製品単価を低減することは、パーソナルコンピュータのシステム構成上においてグラフィックスチップで処理されたデータをソフトウェア処理に戻す系が無いという制約により、不可能であるという問題があった。
【特許文献１】特許第２８６１２１３号公報（第７頁、第１図）
【発明の開示】
【発明が解決しようとする課題】
【０００６】
本発明は、パーソナルコンピュータにおいて高価なシャープネス処理用の専用チップを必要とせずとも、ワイド画面に対応したシャープネス処理機能を有する映像表示装置を提供することを目的とする。
【課題を解決するための手段】
【０００７】
上記課題を解決するために、本発明の映像表示装置は、標準アスペクト比の映像信号をワイドアスペクト比の映像信号へ伸張する場合にシャープネス処理を行う映像表示装置において、前記伸張処理の前段に前記シャープネス処理を行う手段と、前記シャープネス処理帯域の中心周波数を前記伸張処理の伸張率に比例して変更する手段とを備えたことを特徴とする。
【発明の効果】
【０００８】
本発明によれば、高価なシャープネス処理用の専用チップを必要とせずにワイド画面に対応したシャープネス処理機能を有する映像表示装置が得られる。
【発明を実施するための最良の形態】
【０００９】
以下、本発明の実施例を説明する。
【実施例１】
【００１０】
本発明による映像表示装置の実施例１を図１乃至図８を参照して説明する。
図１は映像表示装置の例としてノートブック型パーソナルコンピュータ１０のディスプレイユニットを開いた状態における斜視図である。即ち、この映像表示装置は、ノートブック型パーソナルコンピュータ１０として実現されている。
【００１１】
本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれており、そのＬＣＤ１７の表示画面はディスプレイユニット１２のほぼ中央に位置している。ＬＣＤ１７は所謂ワイド画面を具現化していて、即ち１６：９などのワイドアスペクト比の映像を表示できるものである。
【００１２】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１３】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ／ＣＤ起動ボタン１５Ｂも含まれている。ＴＶ起動ボタン１５Ａは、ＴＶ放送番組データの再生及び記録を行うためのＴＶ機能を起動するためのボタンである。ＴＶ起動ボタン１５Ａがユーザによって押下された時、ＴＶ機能を実行するためのＴＶアプリケーションプログラムが自動的に起動される。
【００１４】
本コンピュータにおいては、汎用の主オペレーティングシステムの他に、ＡＶ（オーディオ・ビデオ）データを処理するための専用の副オペレーティングシステムがインストールされている。ＴＶアプリケーションプログラムは、副オペレーティングシステム上で動作するプログラムである。
【００１５】
パワーボタン１４がユーザによって押下された時、主オペレーティングシステムが起動される。一方、ＴＶ起動ボタン１５Ａがユーザによって押下された時は、主オペレーティングシステムではなく、副オペレーティングシステムが起動され、そしてＴＶアプリケーションプログラムが自動的に実行される。副オペレーティングシステムはＡＶ機能を実行するための最小限の機能のみを有している。このため、副オペレーティングシステムのブートアップに要する時間は、主オペレーティングシステムのブートアップに要する時間に比べて遙かに短い。よって、ユーザは、ＴＶ起動ボタン１５Ａを押すだけで、ＴＶ視聴／録画を即座に行うことが出来る。
【００１６】
ＤＶＤ／ＣＤ起動ボタン１５Ｂは、ＤＶＤまたはＣＤに記録されたビデオコンテンツを再生するためのボタンである。ＤＶＤ／ＣＤ起動ボタン１５Ｂがユーザによって押下された時、ビデオコンテンツを再生するためのビデオ再生アプリケーションプログラムが自動的に起動される。このビデオ再生アプリケーションプログラムも、副オペレーティングシステム上で動作するアプリケーションプログラムである。ＤＶＤ／ＣＤ起動ボタン１５Ｂがユーザによって押下された時は、主オペレーティングシステムではなく、副オペレーティングシステムが起動され、そしてビデオ再生アプリケーションプログラムが自動的に実行される。
【００１７】
図２は、映像表示装置であるパーソナルコンピュータ１０の機能構成図である。
本コンピュータ１０は、図２に示されているように、ＣＰＵ１１１、ノースブリッジ１１２、主メモリ１１３、グラフィクスコントローラ１１４、ＣＰＵ１１１とノースブリッジ１１２と主メモリ１１３とから成るソフト処理部１１５、サウスブリッジ１１９、ＢＩＯＳ−ＲＯＭ１２０、ハードディスク／光ディスクドライブ（ＨＤＤ／ＤＶＤ）１２１、キャプチャーユニット１２２、およびエンベデッドコントローラ／キーボードコントローラＩＣ（ＥＣ／ＫＢＣ）１２３等を備えている。
【００１８】
ＣＰＵ１１１は本コンピュータ１０の動作を制御するために設けられたプロセッサであり、ハードディスク／光ディスクドライブ（ＨＤＤ／ＤＶＤ）１２１から主メモリ１１３にロードされる、主オペレーティングシステム／副オペレーティングシステム、および各種アプリケーションプログラムを実行する。
【００１９】
アプリケーションプログラムには、映像データをキャプチャーユニット１２２によって取り込む機能、代表として受信されたＴＶ放送番組データに含まれる映像データを高画質化するための機能を有している。すなわち、この映像データを高画質化するための映像処理機能としては、ＩＰ変換、シャープネス、およびオーバードライブの各処理を備えている。ＩＰ変換は、映像データをインターレース映像からその２倍のデータ量を持つプログレッシブ映像に変換するためのプログレッシブ変換処理を実行する。このプログレッシブ変換処理では、動き検出が映像フレームの全画素に渡って画素単位で実行される。シャープネスは、輪郭強調などのためのシャープネス処理を実行することにより得られる。オーバードライブは、ＬＣＤ応答時間を改善するためのデジタルオーバードライブ処理の実行である。このデジタルオーバードライブ処理においては、中間階調域におけるＬＣＤ応答時間を改善するために、現在のフレームの輝度と１つ前のフレームの輝度との差分に基づいて現在のフレームの輝度の値を変更する処理が画素単位で実行される。これらにより、ＴＶ放送番組のような映像データをＬＣＤ１７に高画質で表示することが出来る。
【００２０】
アプリケーションプログラムによって高画質化された映像データは、表示ドライバを介してグラフィクスコントローラ１１４のビデオメモリ１１４Ａに書き込まれる。表示ドライバはグラフィクスコントローラ１１４を制御するためのソフトウェアである。
【００２１】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２２】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２３】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた映像データからＬＣＤ１７に送出すべき表示信号を生成する。
【００２４】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ／ＯＤＤ１２１を制御するためのＩＤＥ（Integrated
【００２５】
Drive Electronics）コントローラを内蔵している。さらに、サウスブリッジ１１９は、キャプチャーユニット１２２を制御する機能、およびＢＩＯＳ−ＲＯＭ１２０をアクセス制御するための機能も有している。
【００２６】
ＨＤＤ／ＯＤＤ１２１は、各種ソフトウェア及びデータをハードディスクに格納する記憶装置であり、またビデオコンテンツが格納されたＤＶＤ、ＣＤなどの記憶メディアを駆動するためのドライブユニットである。キャプチャーユニット１２２は、ＴＶ放送番組のような放送番組データを外部から受信することを代表的な機能とする装置である。
【００２７】
エンベデッドコントローラ／キーボードコントローラＩＣ（ＥＣ／ＫＢＣ）１２３は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２３は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２３は、ユーザによるＴＶ起動ボタン１５Ａ、ＤＶＤ／ＣＤ起動ボタン１５Ｂの操作に応じて、本コンピュータ１０をパワーオンすることもできる。
【００２８】
次に、本コンピュータ１０によって実行されるシャープネス処理について説明する。アプリケーションプログラムのひとつとして主メモリ１１３に格納されたシャープネス処理のソフトウェアはＣＰＵ１１１に読み出されて以下のように実行される。
【００２９】
キャプチャーユニット１２２またはハードディスク／光ディスクドライブ（ＨＤＤ／ＤＶＤ）１２１より取り出される映像データはオリジナルとして４：３の標準アスペクト比のものと、１６：９などのワイドアスペクト比のものとがあり、後者は伸張処理は必要でない。また、標準アスペクト比の映像データもノーマル（ワイド画面の左右まで映像を広げない）といった表示モードが選択された場合は、予め３：２のアスペクト比のものを４：３にするといった予備伸張処理は行われることがあるが、やはりここで詳述する伸張処理は必要でない。
【００３０】
図３は、図２に示した映像表示装置の映像表示例１である。上記のノーマルの場合であり伸張処理は必要でない。以下、伸張処理はこのノーマル表示モードを基準に伸張されることを意味する。
【００３１】
図４は、図２に示した映像表示装置の映像表示例２であり、フル（ワイド画面の左右まで映像を直線的に広げる）という表示モードに相当する。キャプチャーユニット１２２またはハードディスク／光ディスクドライブ（ＨＤＤ／ＤＶＤ）１２１より取り出される映像データは４：３の標準アスペクト比から１６：９のワイドアスペクト比へ伸張処理された映像としてワイド画面へ表示される。
【００３２】
以上はコンピュータ１０の概要を中心とする説明であり、以下はコンピュータ１０における実施例を中心とする説明である。
図５は、図２に示した映像表示装置の映像表示例１、２のシャープネス処理での周波数特性図である。横軸は周波数であり縦軸は例えば輝度信号のゲインであり、全体として映像データの帯域を表現している。（ａ）は図２の映像表示例１の場合であり、周波数ｆ０を中心にゲインを持ち上げるというシャープネス処理が３段階に行われることを示している。強調の度合い、言わば強調度が、（ａ）のようにシャープネス弱１５１、シャープネス中１５２（既定値設定）、シャープネス強１５３の３段階に行われる。（ｂ）は図４の映像表示例２の場合であり、周波数ｆ１を中心にゲインを持ち上げるというシャープネス処理がやはりシャープネス弱１６１、シャープネス中１６２（既定値設定）、シャープネス強１６３の３段階に行われることを示している。ｆ０は映像データの表現帯域によって決まり、およそ３ＭＨＺ前後である。ｆ１の決定方法は、本発明のキーとなるものであり、纏めて後述する。ｆ１の値は例えばＲＯＭ等図示せぬ不揮発性メモリに格納されていてＣＰＵ１１１に読み出される。
【００３３】
図５のシャープネス処理例の概念図を図６に示す。次の数式（１）はシャープネス処理例としてＦＩＲフィルタを用いる場合の一般式である。
H(z)  ＝  ｈ０＋ｈ１ｚ−１＋ｈ２ｚ−２＋…＋ｈN-１ｚ−（N-１）・・・（１）
【００３４】
Ｎはタップ数で、ｈ０〜ｈＮ−１は各タップの係数、ｚは遅延要素である。図６（ａ）は数式（１）を図に表現したものである。図６（ｂ）は、ＨＰＦ（ハイパスフィルタ）の例である。図６（ｂ）は、数式（１）、図６（ａ）に於ける各タップの係数ｈ０〜ｈＮ−１を適切に定めて得られるものである。横軸は周波数であり縦軸はゲインを表す。周波数軸でｆｃ１より左の領域は減衰域、ｆｃ１とｆｃ２に挟まれた領域は遮断域、ｆｃ２より右側の領域は通過域である。なおｄ１は減衰域におけるゲインの変動範囲であり、ｄ２は通過域におけるゲインの変動範囲である。ここで、前述のように映像データの表現帯域はｆ０またはｆ１近辺までの低域に限定されているので、処理の簡単化のためにＨＰＦに代わりに次に述べるようにＢＰＦ（バンドパスフィルタ）を用いてもほぼ等価な効果を得ることが可能である。
【００３５】
図７は、図１に示した映像表示装置のシャープネス処理帯域の説明図である。ここではＢＰＦをソフトウェア処理によるディジタルフィルタで実現している。ソフトウェア処理の例としてＣ言語によるプログラムは次の通りである。プログラム中のａ［ｉ］が前述のｈ０〜ｈＮ−１の各タップ係数に相当する。ここではＮ＝３としている。ｔは時刻である。
【００３６】
ｙ［ｔ］＝０；
ｆｏｒ（ｉｎｔ  ｉ＝０；  ｉ＜Ｎ；  ＋＋ｉ）
ｙ［ｔ］＋＝ｘ［ｔ−ｉ］＊ａ［ｉ］；
このＢＰＦを前述のｆ０、ｆ１それぞれを中心とする帯域に乗算して強調を行うことにより、シャープネス処理となる。
伸張処理が必要な標準アスペクト比の映像データをフルといった表示モードが選択された場合を中心に、シャープネス処理を以下に述べる。まず標準アスペクト比４：３の映像データをフルに表示するモードの場合には、伸張率を標準アスペクト比に対する表示画面のアスペクト比の比として１６：９のアスペクト比ならば伸張率は３分の４となる。その他の伸張処理が必要でないモードの場合は伸張率は１である。
【００３７】
図８は、シャープネス処理のフローである。まず、ユーザによりＫＢ１３よりの表示モード及び強調度選択入力２０１が行われる。以下はプログラム処理によるが、次に強調する中心周波数決定２０２の処理を以下のように行う。即ちｆ０に上述の伸張率を乗じて中心周波数ｆ１を算出することに対応するフィルタ係数の選択を行う。次にフィルタ演算により、映像データの帯域においてｆ１を中心に前述のＢＰＦをかけて強調し、ｆ１に対応して選んだフィルタの減衰域の減衰を補正するために遮断域と通過域も含めてレベル調整を行う。このとき、表示モード及び強調度選択入力２０１で選ばれた強調度に応じた特性のＢＰＦを用いる。強調度が強いほど通過域と減衰域のゲインの差が大きな特性のＢＰＦを選ぶ。このＢＰＦの特性はタップ数Ｎや係数ｈ０〜ｈＮ−１を適切に選択することによって得られる。プログラム上は係数は、Nやａ［ｉ］として表現される。このａ［ｉ］の選択は、言わばＢＰＦのパラメータ、即ちＢＰＦの選択ということになる。
【００３８】
レベル調整はＢＰＦをかける前に行っても良い。レベル調整とＢＰＦをかけるというｆ１を中心にした強調・レベル調整処理２０３であり、処理は終了である。
ｆ１はｆ０との関係において決まるものであり、このときｆ０とｆ１の比は映像表示の伸張率となるプログラム処理が、必須なものとして行われる。例えば、標準アスペクト比が４：３でワイドアスペクト比が１６：９のときは、両者の比を取りｆ１はｆ０の３分の４倍としなければ正しい帯域での強調を行うことができない。
【００３９】
ここで中心となるのは、グラフィックスコントローラ１１４の伸張処理に先立って映像表示で強調するシャープネス処理帯域を、伸張処理の伸張率に比例してここでは３分の４倍と変更する処理である。換言すると伸張に反比例して映像全体に周波数の低下が起こるので、予め低下分に相当する高域の周波数を強調する処理である。
【００４０】
このように伸張処理に先立って、シャープネス処理帯域をプログラム処理で選択、実行することにより、高価なシャープネス処理用の専用チップを必要とせずにワイド画面に対応したシャープネス処理機能を有する映像表示装置が実現できる。
【実施例２】
【００４１】
本発明による映像表示装置の実施例２を図９乃至図１１を参照して説明する。尚実施例２では映像表示例における伸張と、対応するシャープネス処理のフロー以外の処理は実施例１と同一であるため、同一部分の説明は省略する。
【００４２】
図９は、図２に示した映像表示装置の映像表示例である。ハードディスク／光ディスクドライブ（ＨＤＤ／ＤＶＤ）１２３またはキャプチャーユニット１２２よりの映像データは４：３の標準アスペクト比から１６：９のワイドアスペクト比へ伸張処理された映像としてワイド画面へ表示されている。実施例１と異なるのは、横方向は一様な伸張率４／３で伸張されているのではないことである。例ではハッチングにより３段階に示しているが、中央部分の伸張率は４／３より小さく中央部分に隣接する左右の部分の伸張率は４／３程度であり、それらの外側左右にある部分の伸張率は４／３より大きくなっている。
【００４３】
図１０は、図７に示した映像表示装置の映像表示例のシャープネス処理での周波数特性図である。概ね図５（ｂ）と同様なイメージであるが、ｆ２は前述の伸張率が４／３より大きくなっている部分に対応する周波数であり、従ってｆ２＞ｆ１となっている。強調度が、シャープネス弱１７１、シャープネス中１７２（既定値設定）、シャープネス強１７３の３段階にシャープネス処理が行われる。
【００４４】
伸張処理が必要な標準アスペクト比の映像データをノンリニアスケーリング（ワイド画面の左右まで映像を直線的でなく広げる）といった表示モードが選択された場合を以下に述べる。標準アスペクト比４：３の映像データをノンリニアスケーリングに表示するモードの場合であり、映像表示位置の伸張率を標準アスペクト比に対する映像表示位置のアスペクト比の比として例えば１６：９のアスペクト比ならば伸張率は３分の４となる。
【００４５】
図１１は、シャープネス処理のフローである。
まず、ユーザによりＫＢ１３よりの表示モード及び強調度選択入力３０１が行われ、表示モードとしてはノンリニアスケーリングが選択される。以下はプログラム処理によるが、
【００４６】
次に強調する中心周波数決定３０２の処理を以下のように行う。即ちｆ０に上述の伸張率を乗じて中心周波数ｆ２を算出することに対応するフィルタ係数の選択を行う。次にフィルタ演算により、映像データの帯域においてｆ２を中心に前述のＢＰＦをかけて強調し、ｆ２に対応して選んだフィルタの減衰域の減衰を補正するために遮断域と通過域も含めてレベル調整を行う。このとき、表示モード及び強調度選択入力３０１で選ばれた強調度に応じた特性のＢＰＦを用いる。強調度が強いほど通過域と減衰域のゲインの差が大きな特性のＢＰＦを選ぶ。このＢＰＦの特性はタップ数Ｎや係数ｈ０〜ｈＮ−１を適切に選択することによって得られる。プログラム上は係数は、ａ［ｉ］として表現される。レベル調整はＢＰＦをかける前に行っても良い。レベル調整とＢＰＦをかけるというｆ２を中心にした強調・レベル調整処理３０３である。
【００４７】
次に映像表示位置を新たな画素に移し、映像表示位置全部の表示が終了したかを画面終了判断３０４で行い、映像表示位置全部の表示が終了していればノンリニアスケーリングの処理は終了である。映像表示位置全部の表示が終了していなければ、伸張率変化判断３０５において、映像表示位置が伸張率を変化する位置であれば伸張率計算３０２から処理をやり直し、他方伸張率を変化する位置でなければ強調・レベル調整処理を継続する。
【００４８】
実施例２におけるノンリニアスケーリング表示は実施例１のフル表示と比較して、ユーザの視線が集中することの多い画面の中央部の伸張率が小さく映像の伸びが少ないという利点がある。
【図面の簡単な説明】
【００４９】
【図１】本発明による映像表示装置の実施例１の斜視図。
【図２】映像表示装置の実施例１の機能構成図。
【図３】映像表示装置の実施例１の映像表示例１。
【図４】映像表示装置の実施例１の映像表示例２。
【図５】映像表示装置の実施例１の映像表示例１、２のシャープネス処理での周波数特性図。
【図６】映像表示装置の実施例１のシャープネス処理例の概念図。
【図７】映像表示装置の実施例１のシャープネス処理帯域の説明図。
【図８】映像表示装置の実施例１のシャープネス処理のフロー。
【図９】映像表示装置の実施例２の映像表示例。
【図１０】映像表示装置の実施例２の映像表示例のシャープネス処理での周波数特性図。
【図１１】映像表示装置の実施例２のシャープネス処理のフロー。
【符号の説明】
【００５０】
１０  コンピュータ
１３  キーボード（ＫＢ）
１７  ＬＣＤ
１１１  ＣＰＵ
１１３  主メモリ
１１４  グラフィクスコントローラ
１１４Ａ  ＶＲＡＭ
１１５  ソフト処理部
１２１  ハードディスク／光ディスクドライブ（ＨＤＤ／ＤＶＤ）
１２２  キャプチャーユニット
１２３  エンベデッドコントローラ／キーボードコントローラＩＣ（ＥＣ／ＫＢＣ）
１５１  シャープネス弱
１５２  シャープネス中
１５３  シャープネス強
１６１  シャープネス弱
１６２  シャープネス中
１６３  シャープネス強
１７１  シャープネス弱
１７２  シャープネス中
１７３  シャープネス強
２０１  表示モード及び強調度選択ステップ
２０２  中心周波数決定ステップ
２０３  強調・レベル調整処理ステップ
３０１  表示モード及び強調度選択ステップ
３０２  中心周波数決定ステップ
３０３  強調・レベル調整処理ステップ
３０４  画面終了判断ステップ
３０５  伸張率変化判断ステップ
【図１】
2006284950.tif 000003
【図２】
2006284950.tif 000004
【図３】
2006284950.tif 000005
【図４】
2006284950.tif 000006
【図５】
2006284950.tif 000007
【図６】
2006284950.tif 000008
【図７】
2006284950.tif 000009
【図８】
2006284950.tif 000010
【図９】
2006284950.tif 000011
【図１０】
2006284950.tif 000012
【図１１】
2006284950.tif 000013